(57)【要約】      （修正有）【課題】抗菌性、抗ウイルス性かつ臭いもとれる布地、および該布地を用いて製造されたものであり、長期に亘って使用を継続することができる収容体を提供する。【解決手段】布地は、第１生地２Ａと、該第１生地に重なる第２生地と、の少なくとも２層からなり、第２生地は、銅が付着された不織布または綿ガーゼから構成されている。また、物品を収容するための収容部を有する収容体１０は、このような布地を用いて製造されている。第２生地には、銅が付着されていることで、収容部に物品Ｍを収容した際に、物品に対して抗菌作用や、抗ウイルス作用を発揮するとともに、物品に付着した臭いを低減させることができるとともに、長期に亘って使用を継続することができる。【選択図】図１
0003228054.tif 000002
【実用新案登録請求の範囲】
【請求項１】
第１生地と、該第１生地に重なる第２生地と、の少なくとも２層からなる布地であって、
前記第２生地は、銅が付着された不織布または綿ガーゼから構成されていることを特徴とする布地。
【請求項２】
前記第２生地を挟んで前記第１生地の反対側に重なる第３生地を備え、
前記第１生地、前記第２生地、および前記第３生地の３層からなることを特徴とする請求項１に記載の布地。
【請求項３】
前記第３生地は、前記第２生地が視認可能な網目状であることを特徴とする請求項２に記載の布地。
【請求項４】
前記第１生地が、絹糸から構成されていることを特徴とする請求項１〜３のうち何れか一項に記載の布地。
【請求項５】
物品を収容するための収容部を有する収容体であって、
請求項１〜４のうち何れか一項に記載の布地を用いて製造され、
前記収容部の内面側に前記第２生地が位置し、
前記収容部から離れた外面側に前記第１生地が位置していることを特徴とする収容体。
【請求項６】
前記第１生地が表地を構成することを特徴とすることを特徴とする請求項５に記載の収容体。
【請求項７】
前記収容体は、小物入れ、トートバック、袋体であることを特徴とする請求項５または６に記載の収容体。
【請求項８】
マスクケースであって、
前記物品が、人の口や鼻を覆うマスクであって、前記収容部が前記マスクを収容することを特徴とする請求項５または６に記載の収容体。
【請求項９】
前記収容部に連続して設けられ、前記収容部に連続する所定位置で折り返されて前記収容部の外面に重なる覆い部を有し、
前記覆い部は、前記収容部の内面側に位置する前記第２生地に連続する第４生地と、
前記収容部から離れた外面側に位置する前記第１生地に連続する第５生地と、を少なくとも有し、
前記第４生地は、前記第２生地と同一の生地から構成され、
前記第５生地は、前記第１生地と同一の生地から構成されていることを特徴とする請求項８に記載の収容体。
【考案の詳細な説明】
【技術分野】
【０００１】
本考案は、布地、および収容体に関する。
【背景技術】
【０００２】
従来、抗菌性を有する抗菌撚糸、並びに抗菌撚糸を備える抗菌糸及び抗菌布が開示されている（例えば特許文献１参照）。撚糸、並びに抗菌撚糸を備える抗菌糸及び抗菌布
【先行技術文献】
【特許文献】
【０００３】
【特許文献１】特開２０１８−０９０９５０号公報
【考案の概要】
【考案が解決しようとする課題】
【０００４】
しかしながら、上述した従来の抗菌布は、摩擦等の外力に弱く、これを用いて袋等を製造した場合に、長期に亘って抗菌性を継続することが難しい場合があった。
【０００５】
本考案の目的は、抗菌性、抗ウイルス性かつ臭いもとれる生地、および該生地を用いて製造されたものであり、長期に亘って使用を継続することができる収容体を提供することにある。
【課題を解決するための手段】
【０００６】
上記目的は、以下の本考案によって解決される。
即ち、本考案は、第１生地と、該第１生地に重なる第２生地と、の少なくとも２層からなる布地であって、前記第２生地は、銅が付着された不織布または綿ガーゼから構成されていることを特徴とする。
【０００７】
以上のような本考案によれば、第１生地と、該第１生地に重なる第２生地と、の少なくとも２層からなる布地であって、第２生地は、銅が付着された不織布または綿ガーゼから構成されている。即ち、第２生地は、銅が付着されていることで、本考案の布地を用いて物品を収容する収容体を製造した場合、収容部に物品を収容した際に、物品に対して抗菌作用や、抗ウイルス作用を発揮するとともに、物品に付着した臭いを低減させることができる。ここで、第２生地は、銅が付着されていることで、摩擦等により銅が脱落する可能性がある。即ち、第２生地は、摩擦等の外力に弱く、外力が作用した際に、銅が付着していることによる所望の効果を発揮できなくなることも考えられるが、本考案の布地は、第１生地と、該第１生地に重なる第２生地と、の少なくとも２層からなる。即ち、第１生地が、第２生地に重なって設けられていることで、直接第２生地に摩擦等の外力が作用することがなくなる。これにより、第２生地が、物品に対して抗菌作用や、抗ウイルス作用を発揮するとともに、物品に付着した臭いを低減させる性能を維持しつつ、銅が付着していることによる所望の効果が長期に亘って継続される。
【０００８】
また、第２生地を挟んで第１生地の反対側に重なる第３生地を備え、第１生地、第２生地、および第３生地の３層からなることが好ましい。これによれば、本考案の生地が、第１生地、第２生地、および第３生地の３層から構成されていることで、より一層、摩擦等の外力に対する所望の強度を確保することができる。
【０００９】
また、第３生地は、第２生地が視認可能な網目状であることが好ましい。これによれば、第３生地が設けられていることで、摩擦等の外力に対する所望の強度を確保しつつ、使用者が、第３生地を介して第２生地を視認することができる。これによれば、使用者は、安心して本考案の布地を使用することができる。
【００１０】
また、第１生地が、絹糸から構成されていることが好ましい。これによれば、絹糸は、タンパク質の二層構造でできていて中心部のタンパク質が、セリシンというにかわ質のタンパク質に包まれているが、セリシンは抗菌作用を有していることから、第１生地について、菌の増殖を抑制することができる。
【００１１】
また、物品を収容するための収容部を有する収容体であって、請求項１〜４のうち何れか一項に記載の布地を用いて製造され、収容部の内面側に第２生地が位置し、収容部から離れた外面側に第１生地が位置している。これによれば、収容部に物品を収容した際に、第２生地が、物品に対して抗菌作用や、抗ウイルス作用を発揮するとともに、物品に付着した臭いを低減させる性能を維持しつつ、銅が付着していることによる所望の効果が長期に亘って継続される。また、第２生地が第１生地よりも収容部の内面側に位置していることで、収容部に物品を収容した際に、第２生地の所望の効果が十分に発揮される。
【００１２】
また、第１生地が表地を構成することが好ましい。ここで、第１生地が、絹糸から構成された場合には、絹糸は、抗菌作用を有していることから、収容体の外面について、菌の増殖を抑制することができる。また、絹糸から成る絹材は、光沢があることから、第１生地が絹糸から構成されていることで、意匠性の向上が図られる。
【００１３】
また、収容体は、小物入れ、トートバック、袋体（買い物袋）であることが好ましい。収容体は、小物入れ、トートバック、袋体（買い物袋）であることにより、収容部に物品を収容した際に、第２生地が、物品に対して抗菌作用や、抗ウイルス作用を発揮するとともに、物品に付着した臭いを低減させる性能を維持しつつ、銅が付着していることによる所望の効果が長期に亘って継続される利便性の高い小物入れ、トートバック、袋体（買い物袋）を提供することができる。
【００１４】
また、マスクケースであって、物品が、人の口や鼻を覆うマスクであって、収容部がマスクを収容することが好ましい。これによれば、使用済のマスクをマスクケースに収容することで、マスクに対して抗菌作用や、抗ウイルス作用を発揮するとともに、物品に付着した臭いを低減させることができる。
【００１５】
また、収容部に連続して設けられ、収容部に連続する所定位置で折り返されて収容部の外面に重なる覆い部を有し、覆い部は、収容部の内面側に位置する第２生地に連続する第４生地と、収容部から離れた外面側に位置する第１生地に連続する第５生地と、を少なくとも有し、第４生地は、第２生地と同一の生地から構成され、第５生地は、第１生地と同一の生地から構成されていることが好ましい。これによれば、覆い部が設けられ、マスクが収容部に収容された状態で、覆い部が、収容部に連続する所定位置で折り返されて収容部の外面に重なることで、マスクが収容部から脱落することが抑制される。
【考案の効果】
【００１６】
本考案によれば、第１生地と、該第１生地に重なる第２生地と、の少なくとも２層からなる布地であって、第２生地は、銅が付着された不織布または綿ガーゼから構成されている。即ち、第２生地は、銅が付着されていることで、物品に対して抗菌作用や、抗ウイルス作用を発揮するとともに、物品に付着した臭いを低減させる性能を維持しつつ、銅が付着していることによる所望の効果を長期に亘って継続させることができる。
【図面の簡単な説明】
【００１７】
【図１】本考案の一実施の形態にかかるマスクケースを示す斜視図である。
【図２】前記マスクケースを構成する布地を示す概念図である。
【図３】前記マスクケースを製造する様子を説明するための平面図であり、（Ａ）は、布地の表側（表地）を見た図であり、（Ｂ）は、布地の裏側（裏地）を見た図である。
【図４】前記マスクケースとは別の一例を示す斜視図であり、トートバックを示す斜視図である。
【考案を実施するための形態】
【００１８】
以下、本考案の一実施の形態にかかるマスクケース１０について図１、２を参照して説明する。図１は、本考案の一実施の形態にかかるマスクケース１０を示す斜視図である。図２は、マスクケース１０を構成する布地１を示す概念図である。
【００１９】
マスクケース１０は、図１に示すように、人の口や鼻を覆うマスクＭ（物品）を収容するためのものである。このマスクケース１０は、開口部１０Ａを有する袋状の収容部１１と、該収容部１１の第２線分Ｌ２（収容部に連続する所定位置）に連続して設けられ、第２線分Ｌ２で折り返されて第１領域Ｆ１の外面（収容部１１の外面）に重なる覆い部１２と、を有して構成されている。
【００２０】
収容部１１は、平面視が矩形状に形成され、マスクＭを収容することが可能な大きさに形成されている。この収容部１１の開口部１０Ａは、第２線分Ｌ２、および第１線分Ｌ１を挟んで第２線分Ｌ２とは反対側の端縁Ｌ３（図３に示す）から構成されている。
【００２１】
このようなマスクケース１０は、図２に示すように、平面視が矩形状の布地１から形成されている。図２は、マスクケース１０を構成する布地１を示す概念図である。図３は、マスクケース１０を製造する様子を説明するための平面図であり、（Ａ）は、布地１の表側（表地）を見た図であり、（Ｂ）は、布地１の裏側（裏地）を見た図である。このような布地１を用いて、マスクケース１０を製造する場合には、図１、３（Ａ）（Ｂ）に示すように、平面視が矩形状の布地１の長手方向を三等分する２本の線分（以下では、第１線分Ｌ１、第２線分Ｌ２と記す）と、３つの領域（第１領域Ｆ１、第２領域Ｆ２、第３領域Ｆ３）と、に区画し、図３（Ｂ）に示すように、第１領域Ｆ１および第２領域Ｆ２を、裏地３同士が接触するように、第１線分Ｌ１で折り曲げて、第１領域Ｆ１および第２領域Ｆ２を重ねる。この状態で、第１領域Ｆ１および第２領域Ｆ２の並び方向に直交する方向（図３における縦方向）の端部をそれぞれ縫合（図１では、縫合箇所は一点鎖線Ｓで示す）することで、マスクケース１０が完成する。
【００２２】
布地１は、図２に示すように、表地２と、補強のための裏地３と、表地２と裏地３との間に介在する中間材４と、の三層を有して構成されている。
【００２３】
表地２は、第１領域Ｆ１および第２領域Ｆ２を構成する第１生地２Ａと、該第１生地２Ａに連続して第３領域Ｆ３（覆い部１２）を構成する第５生地２Ｂと、を有して構成されている。第１生地２Ａおよび第５生地２Ｂは、同じ材質であり、本実施形態では絹糸から成る絹材から構成されている。
【００２４】
裏地３は、第１領域Ｆ１および第２領域Ｆ２を構成する第３生地３Ａと、該第３生地３Ａに連続して第３領域Ｆ３（覆い部１２）を構成する第６生地３Ｂと、を有して構成されている。第３生地３Ａおよび第６生地３Ｂは、同じ材質であり、本実施形態では、中間材４が視認可能な編み目状のメッシュ材（ネットでもよい）から構成されている。裏地３がメッシュ材から構成されていることで、裏地３を介して中間材４を視認することができる。即ち、後述するように、中間材４は青緑色に着色されているから、裏地３を介して中間材４を視認することで、使用者は、中間材４としての抗ウイルス不織布シートが表地２と裏地３との間に介在していることを確認できる。
【００２５】
中間材４は、第１領域Ｆ１および第２領域Ｆ２を構成する第２生地４Ａと、該第２生地４Ａに連続して第３領域Ｆ３（覆い部１２）を構成する第４生地４Ｂと、を有して構成されている。中間材４は、不織布に銅が付着されることで構成されたものであり、本実施形態では抗ウイルス不織布シートから構成されている。抗ウイルス不織布シートは、抗菌作用や、抗ウイルス作用を発揮するとともに、物品に付着した臭いを低減させる。ここで、中間材４は、不織布に銅が付着されることで構成されていることから、不織布は、銅が酸化することで生成される青緑色に着色されている。
【００２６】
上述したマスクケース１０によれば、物品が、人の口や鼻を覆うマスクＭであって、収容部１１がマスクＭを収容する。これによれば、使用済のマスクＭをマスクケース１０に収容することで、マスクＭに対して抗菌作用や、抗ウイルス作用を発揮するとともに、物品に付着した臭いを低減させることができる。
【００２７】
また、収容部１１に連続して設けられ、収容部１１に連続する第２線分Ｌ２（所定位置）で折り返されて収容部１１の外面（表地２の第１生地２Ａ）に重なる覆い部１２を有し、覆い部１２は、収容部１１の内面側に位置する第２生地４Ａに連続する第４生地４Ｂと、収容部１１から離れた外面側に位置する第１生地２Ａに連続する第５生地２Ｂと、を少なくとも有し、第４生地４Ｂは、第２生地４Ａと同一の生地から構成され、第５生地２Ｂは、第１生地２Ａと同一の生地から構成されている。これによれば、覆い部１２が設けられ、マスクＭが収容部１１に収容された状態で、覆い部１２が、第２線分Ｌ２で折り返されて収容部１１の外面に重なることで、マスクＭが収容部１１から脱落することが抑制される。
【００２８】
また、本考案の布地１は、第１生地２Ａと、該第１生地２Ａに重なる第２生地４Ａと、の少なくとも２層からなる布地１であって、第２生地４Ａは、銅が付着された不織布または綿ガーゼから構成されている。これによれば、第２生地４Ａは、銅が付着されていることで、本考案の布地１を用いてマスクＭ（物品）を収容するマスクケース１０（収容体）を製造し、マスクケース１０にマスクＭを収容した際に、マスクＭに対して抗菌作用や、抗ウイルス作用を発揮するとともに、マスクＭに付着した臭いを低減させることができる。ここで、第２生地４Ａは、銅が付着されていることで、摩擦等により銅が脱落する可能性がある。即ち、第２生地４Ａは、摩擦等の外力に弱く、外力が作用した際に、銅が付着していることによる所望の効果を発揮できなくなることも考えられるが、本考案の布地１は、第１生地２Ａと、該第１生地２Ａに重なる第２生地４Ａと、の少なくとも２層からなる。即ち、第１生地２Ａが、第２生地４Ａに重なって設けられていることで、直接第２生地４Ａに摩擦等の外力が作用することがなくなる。これにより、第２生地４Ａが、マスクＭ（物品）に対して抗菌作用や、抗ウイルス作用を発揮するとともに、マスクＭに付着した臭いを低減させる性能を維持しつつ、銅が付着していることによる所望の効果が長期に亘って継続される。
【００２９】
また、第２生地４Ａを挟んで第１生地２Ａの反対側に重なる第３生地３Ａを備え、第１生地２Ａ、第２生地４Ａ、および第３生地３Ａの３層から構成されている。これによれば、本考案の生地が、第１生地２Ａ、第２生地４Ａ、および第３生地３Ａの３層から構成されていることで、より一層、摩擦等の外力に対する所望の強度を確保することができる。
【００３０】
また、第３生地３Ａは、第２生地４Ａが視認可能な網目状である。これによれば、第３生地３Ａが設けられていることで、摩擦等の外力に対する所望の強度を確保しつつ、使用者が、第３生地３Ａを介して第２生地４Ａを視認することができる。これによれば、使用者は、安心して本考案の布地１を使用することができる。
【００３１】
また、第１生地２Ａが、絹糸から構成されている。これによれば、絹糸は、タンパク質の二層構造でできていて中心部のタンパク質が、セリシンというにかわ質のタンパク質に包まれているが、セリシンは抗菌作用を有していることから、第１生地２Ａについて、菌の増殖を抑制することができる。
【００３２】
また、マスクＭ（物品）を収容するための収容部１１を有するマスクケース１０（収容体）であって、上述した布地１を用いて製造され、収容部１１の内面側に第２生地４Ａが位置し、収容部１１から離れた外面側に第１生地２Ａが位置している。これによれば、収容部１１にマスクＭ（物品）を収容した際に、第２生地４Ａが、マスクＭに対して抗菌作用や、抗ウイルス作用を発揮するとともに、マスクＭに付着した臭いを低減させる性能を維持しつつ、銅が付着していることによる所望の効果が長期に亘って継続される。また、第２生地４Ａが第１生地２Ａよりも収容部１１の内面側に位置していることで、収容部１１にマスクＭを収容した際に、第２生地４Ａの所望の効果が十分に発揮される。
【００３３】
また、第１生地２Ａが表地２を構成する。ここで、第１生地２Ａが、絹糸から構成された場合には、絹糸は、抗菌作用を有していることから、マスクケース１０（収容体）の外面について、菌の増殖を抑制することができる。また、絹糸から成る絹材は、光沢があることから、第１生地２Ａが絹糸から構成されていることで、マスクケース１０の意匠性の向上が図られる。
【００３４】
なお、本考案は、前記実施形態に限定されるものではなく、本考案の目的が達成できる他の構成等を含み、以下に示すような変形等も本考案に含まれる。
【００３５】
前記実施形態において、布地１は、表地２（第１生地２Ａ）、裏地３、および中間材４（第２生地４Ａ）の３層を有して構成されているが、本考案はこれに限定されるものではない。布地１は、表地２（第１生地２Ａ）、および中間材４（第２生地４Ａ）の２層を有して構成されていてもよい。
【００３６】
また、前記実施形態において、中間材４（第２生地４Ａ）は、不織布に銅が付着されることで構成されたものであり、抗ウイルス不織布シートから構成されているが、本考案はこれに限定されるものではない。中間材４は、綿ガーゼ等のシート状の部材に銅が付着されることで構成されたものであってもよい。
【００３７】
また、前記実施形態では、収容体の一例として、マスクケース１０を説明しているが、本考案はこれに限定されるものではない。収容体は、図４に示すように、トートバック１３でもよい。図４は、トートバック１３を示す斜視図である。
【００３８】
トートバック１３は、図４に示すように、各種の物品を収容するためのものである。このトートバック１３は、開口部１０Ａを有する袋状の収容部１１と、収容部１１の開口部１０Ａに取り付けられた持ち手１４と、を有して構成されている。収容部１１は、平面視が矩形状の布地としての一対の布材１Ａ、１Ａから構成されているとともに、一対の布材１Ａ、１Ａの左右の両端、および下方の端部が縫合されて、開口部１０Ａを有する袋状に形成されている。各布材１Ａは、表地２（第１生地２Ａ）は絹糸から成る絹材、裏地３（第３生地３Ａ）は編み目状のメッシュ材（ネットでもよい）から構成され、中間材４は、不織布に銅が付着されることで構成されたものであり、本実施形態では、中間材４は抗ウイルス不織布シートから構成されている。本考案によれば、上述した実施形態と略同様の効果が奏される。
【００３９】
また、前記実施形態では、収容体の一例として、トートバック１３を説明しているが、本考案は、これに限定されるものではない。収容体として、巾着等の小物入れ、袋体（買い物袋）であってもよい。本考案によれば、上述した実施形態と略同様の効果が奏される。
【００４０】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００４１】
１          布地
１Ａ、１Ａ  一対の布材（布地）
２Ａ        第１生地
４Ａ        第２生地
３Ａ        第３生地
１０        マスクケース（収容体）
１１        収容部
１２        覆い部
１３        トートバック（収容体）
Ｌ２        第２線分（収容部に連続する所定位置）
２Ｂ        第５生地
４Ｂ        第４生地
Ｍ          マスク（物品）
【図１】
0003228054.tif 000003
【図２】
0003228054.tif 000004
【図３】
0003228054.tif 000005
【図４】
0003228054.tif 000006